(57)【要約】      （修正有）【課題】点滴バッグ中の薬液の減少具合が判別し易い点滴スタンドを提供する。【解決手段】点滴バッグＢを吊り下げ支持するための点滴スタンド１において、支柱３に支持されたアーム４の一端側と他端側とにそれぞれ点滴バッグＢ（Ｂ１、Ｂ２）が吊下げられた状態で、一方の点滴バッグＢ１から薬液が投与された際、点滴バッグの内容量の減少に応じて、アームの傾きが変化するようにアームを支柱に対して揺動可能に支持する。【選択図】図４
0003218561.tif 000002
【実用新案登録請求の範囲】
【請求項１】
点滴による患者への薬液投与時に、点滴バッグを吊下げ支持するための点滴スタンドであって、
基台と、
前記基台に支持された支柱と、
前記支柱に対して中程が支持されたアームと、
を具備してなり、
前記アームの一端側と他端側とにそれぞれ点滴バッグが吊下げられた状態で、一方の点滴バッグから薬液が投与された際、一方の点滴バッグの内容量の減少に応じて、前記アームの傾きが変化するように、
前記アームが前記支柱に対して揺動可能に支持されてなることを特徴とする点滴スタンド。
【請求項２】
請求項１に記載の点滴スタンドにおいて、
点滴バッグを吊り下げるためのフックが、前記アームの一端側と多端側の長さ方向に沿って複数取り付けられてなる点滴スタンド。
【請求項３】
請求項１又は２に記載の点滴スタンドにおいて、
前記支柱に対する前記アームの支持位置が、前記アームの長さ方向に沿って変更可能となされた点滴スタンド。
【請求項４】
請求項１ないし３のいずれか１項に記載の点滴スタンドにおいて、
前記アームの傾きの変化量を検知する検知装置と、
前記検知装置から伝達された前記アームの傾きの変化量に関する情報に応じた制御指令を与える制御装置と、
を更に具備してなる点滴スタンド。
【請求項５】
請求項４に記載の点滴スタンドにおいて、
前記アームの一端側に吊下げられた一方の点滴バッグから薬液が投与される第一投与ラインと、前記アームの他端側に吊下げられた他方の点滴バッグから薬液が投与される第二投与ラインとを切り替える切り替え装置を更に具備してなり、
前記検知装置から前記制御装置に伝達された情報に応じて、前記切り替え装置に対し第一投与ラインから第二投与ラインへ切り替える旨の制御指令が与えられるように制御されてなる点滴スタンド。
【考案の詳細な説明】
【技術分野】
【０００１】
本考案は、点滴による患者への薬液投与時に、点滴バッグを吊下げ支持するための点滴スタンドに関する。
【背景技術】
【０００２】
経静脈投与の一種である「点滴（点滴静脈注射）」は、生体内に薬品や血液、或いは生理食塩水などの薬液を少量ずつ投与する医療行為である。この点滴を行うにあたっては、ガラス瓶や合成樹脂製バッグに薬液が封入された点滴バッグを点滴スタンドにセットし、チューブを通じて、輸液ポンプ又は自然落下にて前記点滴バッグ内の薬液を生体内に投与する方法が採られる。
【０００３】
ここで、一の点滴バッグの容量を超える多量の薬液投与を要する場合には、複数の点滴バッグを用意し、順次点滴バッグを交換する作業が必要となる。従来、この点滴バッグの交換は看護師による人的作業によって行われていた。
【０００４】
この点滴バッグの交換を、使用中の点滴バッグに薬液が多く残存した状態で行えば薬液が無駄になる。そのため、点滴バッグの交換時、交換しようとする点滴バッグに予想以上の薬液が残存していれば、薬液が十分に排出されるまで待つ必要が生じる。一方、使用中の点滴バッグから薬液が全て排出されると、輸液ラインに空気が入り、点滴バッグの交換時にチューブ内の空気を除く作業が必要となる。又、輸液ラインへの血液の逆流等が生じる場合もある。そのため、看護師は、点滴バッグから薬液が殆ど排出されそうなタイミングを見計らって患者の下へ行き、点滴バッグの交換作業を行うことになる。
【０００５】
しかしながら、点滴場所や血管の太さ等により、点滴が落ちる時間には個人差があり、点滴バッグの交換のタイミングを正確に見積もるのは非常に困難である。このような理由から、点滴バッグの交換作業は、看護師に対し過度の負担を与える煩雑な作業となっていた。
【０００６】
この点につき、点滴バッグ（輸液バッグ）の交換の手間を省き、一度セットすると長期に連続した点滴（輸液）を行える輸液システム（輸液自動切り替え装置）が提案されている（例えば、下記特許文献１参照。）。
【先行技術文献】
【特許文献】
【０００７】
【特許文献１】特開平６‐２７７２８２号公報
【考案の概要】
【考案が解決しようとする課題】
【０００８】
即ち、前記特許文献１に開示された輸液自動切り替え装置は、輸液検知器にて輸液ライン上の薬液の有無を検出し、薬液の有無に応じて輸液ラインを切り替えることによって長期にわたって連続した点滴を可能としたものである。
【０００９】
しかしながら、前記特許文献１に開示された輸液自動切り替え装置は、使用中の点滴バッグの薬液減少具合（残存度）が遠目に判りにくく、又、輸液ラインの切り替えが確実に行われているかの確認もし難いものであった。
【００１０】
本考案は、前記技術的課題に鑑みて完成されたものであり、点滴バッグ中の薬液の減少具合が視認にて判別し易くなる新規な点滴スタンドを提供することを目的とする。
【課題を解決するための手段】
【００１１】
前記技術的課題を解決する本考案の点滴スタンドは、点滴による患者への薬液投与時に、点滴バッグを吊下げ支持するための点滴スタンドであって、基台と、前記基台に支持された支柱と、前記支柱に対して中程が支持されたアームと、を具備してなり、前記アームの一端側と他端側とにそれぞれ点滴バッグが吊下げられた状態で、一方の点滴バッグから薬液が投与された際、一方の点滴バッグの内容量の減少に応じて、前記アームの傾きが変化するように、前記アームが前記支柱に対して揺動可能に支持されてなることを特徴とする（以下、「本考案点滴スタンド」と称する。）。
【００１２】
前記本考案点滴スタンドにおいては、点滴バッグを吊り下げるためのフックが、前記アームの一端側と多端側の長さ方向に沿って複数取り付けられてなるものが好ましい態様となる。
【００１３】
前記本考案点滴スタンドにおいては、前記支柱に対する前記アームの支持位置が、前記アームの長さ方向に沿って変更可能となされたものが好ましい態様となる。
【００１４】
前記本考案点滴スタンドにおいては、前記アームの傾きの変化量を検知する検知装置と、前記検知装置から伝達された前記アームの傾きの変化量に関する情報に応じた制御指令を与える制御装置と、を更に具備してなるものが好ましい態様となる。
【００１５】
前記本考案点滴スタンドにおいては、前記アームの一端側に吊下げられた一方の点滴バッグから薬液が投与される第一投与ラインと、前記アームの他端側に吊下げられた他方の点滴バッグから薬液が投与される第二投与ラインとを切り替える切り替え装置を更に具備してなり、前記検知装置から前記制御装置に伝達された情報に応じて、前記切り替え装置に対し第一投与ラインから第二投与ラインへ切り替える旨の制御指令が与えられるように制御されてなるものが好ましい態様となる。
【考案の効果】
【００１６】
本考案によれば、点滴実行時における点滴バッグ中の薬液の減少具合が判別し易くなる。
【図面の簡単な説明】
【００１７】
【図１】図１は、実施形態１に係る本考案点滴スタンドを示す斜視図である。
【図２】図２は、前記本考案点滴スタンドのアーム部分を拡大して示す正面図である。
【図３】図３は、前記本考案点滴スタンドの使用状態を示す斜視図である。
【図４】図４(ａ)、（ｂ）は、前記本考案点滴スタンドの使用によって前記アームの傾きが変化する様子を示す正面図である。
【図５】図２は、実施形態２に係る本考案点滴スタンドを示す斜視図である。
【図６】図６は、前記本考案点滴スタンドの制御を示すフローチャートである。
【図７】図７は、実施形態３に係る本考案点滴スタンドを示す斜視図である。
【図８】図８は、前記本考案点滴スタンドの制御を示すフローチャートである。
【考案を実施するための形態】
【００１８】
以下、本考案の実施形態を図面に基づいて説明するが、本考案はこの実施形態に限定されるものではない。
【００１９】
[実施形態１]
本考案点滴スタンド１＞
図１に、実施形態１に係る本考案点滴スタンド１を示す。前記本考案点滴スタンド１は、「基台２」と、「支柱３」と、「アーム４」と、を具備する。
【００２０】
‐基台２‐
前記基台２は、前記本考案点滴スタンド１の土台となる役割を担う。本実施形態において、前記基台２は、放射状に分かれた五本の脚部２１を有する基台本体２０と、各脚部２１の先端に配された自在キャスター２２と、前記基台本体２０の中央に設けられた支持パイプ２３と、を具備する。
【００２１】
‐支柱３‐
前記支柱３は、前記基台２に支持される。本実施形態における前記支柱３は、前記基台２に設けられた支持パイプ２３にその下端が差し込まれることによって、前記基台２に支持されている。又、本実施形態においては、前記支柱３をなす第一支柱３１と第二支柱３２とが芯鞘構造にて連結されており、前記支柱３の長さは、前記第一支柱３１に対して前記第二支柱３２をスライドさせ、任意の長さとなる位置において固定ネジ３３にて固定することによって調整可能な仕組みとなされている。又、前記支柱３の上部には、水平方向に向かって突出する支軸３０が設けられている。
【００２２】
‐アーム４‐
前記アーム４は、前記支柱３に対して中程が支持された状態となされる。図２の拡大図に示すように、本実施形態における前記アーム４は帯板状となされており、その一端側と多端側の長さ方向に沿って複数のフック５（５１、５２、５３、５４）が取り付けられている。又、前記アーム４には、その中程において長さ方向に沿う長穴状の貫通孔４０が設けられており、前記貫通孔４０の上辺には、長さ方向に沿って複数の半円状の切り欠き４１（４１１、４１２、４１３、４１４、４１５）が設けられている。前記アーム４は、前記支柱３に設けられた支軸３０に対し、前記貫通孔４０に設けられた複数の切り欠き４１から選択された任意の切り欠き４１を引っ掛けることによって、前記支柱３に対して揺動可能に支持され得る仕組み（即ち、前記支柱３に対する前記アーム４の支持位置が、前記アーム４の長さ方向に沿って変更可能な仕組み）となされている。本実施形態においては、前記貫通孔４０の中心位置に存する切り欠き４１３を前記支軸３０に引っ掛けている。
【００２３】
図３に示すように、前記構成を有する本考案点滴スタンド１は、患者Ｓに対する点滴による薬液投与時に、点滴バッグＢ（Ｂ１、Ｂ２）を吊下げ支持するための道具として用いられる。
【００２４】
図４に示すように、前記本考案点滴スタンド１を用いて患者Ｓへ対して点滴を行うにあたっては、前記アーム４の一端側と他端側とにそれぞれ点滴バッグＢ（Ｂ１、Ｂ２）が吊下げられた状態となされる。本実施形態においては、前記アーム４の一端側の先端に存するフック５１と他端側の先端に存するフック５４とに、それぞれ内容量が等しい点滴バッグＢ（Ｂ１、Ｂ２）を引っ掛けることによって点滴バッグＢ（Ｂ１、Ｂ２）を前記アーム４に吊下げた。前記フック５１と前記フック５４の位置は、それぞれ中央の切り欠き（前記支軸３０）４１３から等しい距離にあるため、前記フック５１と前記フック５４とに内容量が等しい点滴バッグＢ（Ｂ１、Ｂ２）を吊下げると、前記支柱３に対して揺動可能に支持されている前記アーム４は、水平位置で釣り合う(図４(ａ)参照)。
【００２５】
この状態で、一方の点滴バッグＢ１から薬液が投与されると、時間の経過と共に前記点滴バッグＢ１内に存する薬液の内容量が減少する。前記アーム４の一端側に吊下げられた点滴バッグＢ１の内容量が減少するにつれ、他端側に吊下げられた点滴バッグＢ２との釣り合いをとるために前記アーム４が傾く（図４（ｂ）参照）。
【００２６】
即ち、本考案点滴スタンド１を用いて点滴を行えば、点滴の投与時間の経過に応じて使用中の一方の点滴バッグＢ１が上昇し、前記アーム４の傾きが変化する。これより、前記アーム４の傾きによって、使用中の点滴バッグＢ１中の薬液の減少具合が遠目からでも判別することができるようになる。その結果、使用中の一の点滴バッグＢ１からもう一方の点滴バッグＢ２への交換のタイミングを容易に図ることができようになる。
【００２７】
なお、本実施形態においては、前記支柱３に設けられた支軸３０に対し、前記貫通孔４０に設けられた切り欠き４１を引っ掛けることによって、前記アーム４を前記支柱３に支持しているが、前記支柱３に対して前記アーム４を支持する手段は、前記支柱３に対し前記アーム４が揺動可能に支持されているのであれば、特に限定されない。
【００２８】
又、本実施形態においては、前記アーム４の貫通孔４０の中心位置に設けられた切り欠き４１３に前記支軸を引っ掛けると共に、前記アーム４の一端側の先端に存するフック５１と他端側の先端に存するフック５２とに、それぞれ内容量が等しい点滴バッグＢ（Ｂ１、Ｂ２）を引っ掛けることによって、前記アーム４を水平位置で釣り合うようにしているが、点滴開始時において、前記アーム４は必ずしも水平位置で釣り合っていなくても良い。要は、点滴開始時における前記アーム４の傾きと、点滴の投与時間の経過により変化する前記アーム４の傾きによって、点滴バッグＢ１からの薬液の減少具合が視認によって判別できれば良い。
【００２９】
[実施形態２]
＜本考案点滴スタンド１＞
図５に、実施形態２に係る本考案点滴スタンド１を示す。前記本考案点滴スタンド１は、「検知装置６」と、「制御装置７」と、を更に具備する以外は、前記実施形態１において説明した本考案点滴スタンド１と同様である。
【００３０】
‐検知装置６‐
前記検知装置６は、前記アーム４の傾きの変化量を検知する役割を担う。本実施形態において、前記検知装置６は、前記アーム４の上辺に設置されており、前記アーム４の傾きを随時検知し、検知した前記アーム４の傾きの変化量に関する情報を無線にて発信する仕組みとなされている。
【００３１】
‐制御装置７‐
前記制御装置７は、前記検知装置６から発信（伝達）された前記アーム４の傾きの変化量に関する情報に応じた制御指令を与える役割を担う。本実施形態においては、前記制御装置７として、携帯端末型の情報処理機を用いた。
【００３２】
即ち、本実施形態に係る本考案点滴スタンド１は、点滴開始後に生じる前記アーム４の傾きの変化量に応じた制御指令が実行されるように制御されている。
【００３３】
図６のフローチャートに示すように、前記検知装置６は、点滴開始後、前記検知装置６にて前記アーム４の傾きの変化量を測定し（Ｓ１）、測定した傾きの変化量に関する情報を発信する（Ｓ２）。
【００３４】
前記制御装置７は、前記検知装置６から伝達された傾きの変化量に関する情報と、予め設定された所定値とを比較する（Ｓ３）。前記アーム４の傾きが所定位置以下の間は、前記コマンド（Ｓ１〜Ｓ３）を繰り返す。一方、前記アーム４の傾きが所定位置以上となった場合には予め定められた制御指令を与える（Ｓ４）。なお、本実施形態における前記制御指令は、前記制御装置７に内蔵されたスピーカを用いたＢｅｅｐ音の発生とした。
【００３５】
即ち、本実施形態に係る本考案点滴スタンド１によれば、使用中の一の点滴バッグＢ１からもう一方の点滴バッグＢ２への交換のタイミングを、アーム４の傾きという視覚情報に加えて、Ｂｅｅｐ音の発生という聴覚情報にて容易に図ることができようになる。
【００３６】
その余は、前記実施形態１と同様であるため、繰り返しの説明を避けるべく、ここでは説明を省略する。
【００３７】
[実施形態３]
＜本考案点滴スタンド１＞
図７に、実施形態３に係る本考案点滴スタンド１を示す。前記本考案点滴スタンド１は、「切り替え装置８」を更に具備し、前記制御装置７による制御指令が異なる以外は、前記実施形態２において説明した本考案点滴スタンド１と同様である。
【００３８】
‐切り替え装置８‐
前記切り替え装置８は、前記アーム４の一端側に吊下げられた一方の点滴バッグＢ１から薬液が投与される第一投与ラインＬ１と、前記アーム４の他端側に吊下げられた他方の点滴バッグＢ２から薬液が投与される第二投与ラインＬ２とを切り替える役割を担う。
【００３９】
そして、本実施形態に係る本考案点滴スタンド１は、点滴開始後に生じる前記アーム４の傾きの変化量に応じた制御指令が実行されるように制御されている。
【００４０】
図８のフローチャートに示すように、前記検知装置６は、点滴開始後、前記検知装置６にて前記アーム４の傾きの変化量を測定し（Ｓ１）、測定した傾きの変化量に関する情報を発信する（Ｓ２）。
【００４１】
前記制御装置７は、前記検知装置６から伝達された傾きの変化量に関する情報と、予め設定された所定値とを比較し（Ｓ３）、前記アーム４の傾きが所定位置以上となったと判断した場合制御指令（前記切り替え装置８に対し第一投与ラインＬ１から第二投与ラインへＬ２切り替える旨の制御指令）を与える（Ｓ５）。その後、もう一方の点滴バッグＢ２から第二投与ラインＬ２を通じて薬液が投与されて、時間の経過と共に前記点滴バッグＢ２内に存する薬液の内容量が減少し、前記アーム４の傾きが小さく（本実施形態においては５度以下）なると（Ｓ６）、前記制御装置７からＢｅｅｐ音が発生する（Ｓ４）。
【００４２】
即ち、本実施形態に係る本考案点滴スタンド１によれば、使用中の一の点滴バッグＢ１からもう一方の点滴バッグＢ２への交換を、投与ラインの自動的な切り替えにて行うことができるようになる。
【００４３】
その余は、前記実施形態１と同様であるため、繰り返しの説明を避けるべく、ここでは説明を省略する。
【００４４】
なお、本考案は、その精神または主要な特徴から逸脱することなく、他のいろいろな形で実施することができる。そのため、上述の実施形態はあらゆる点で単なる例示にすぎず、限定的に解釈してはならない。本考案の範囲は実用新案登録請求の範囲によって示すものであって、明細書本文には、なんら拘束されない。さらに、実用新案登録請求の範囲の均等範囲に属する変形や変更は、全て本考案の範囲内のものである。
【符号の説明】
【００４５】
１  本考案点滴スタンド（点滴スタンド）
２  基台
３  支柱
４  アーム
５  フック
６  検知装置
７  制御装置
８  切り替え装置
Ｂ  点滴バッグ
【図１】
0003218561.tif 000003
【図２】
0003218561.tif 000004
【図３】
0003218561.tif 000005
【図４】
0003218561.tif 000006
【図５】
0003218561.tif 000007
【図６】
0003218561.tif 000008
【図７】
0003218561.tif 000009
【図８】
0003218561.tif 000010